(57)【要約】【課題】トイレ室等をできるだけ狭く感じさせないようにするトイレ装置を提供する。【解決手段】便器１の後端部上に横長に設けるトイレ機能内蔵のトイレ本体４と、前記トイレ本体に設け、便器上に位置する便座２および少なくとも前記便座を覆う開閉自在な便蓋３とを備え、前記便蓋は外周部である便蓋枠５とこれに囲まれた内周部である蓋パネル６とで形成し、かつ前記外周部と内周部の色を異ならせたトイレ装置である。便蓋を外周部と内周部に分け、かつ異なる色を着色することで視覚的にコンパクト感を強調し、狭いトイレ室内をできるだけ狭く感じさせないようにする。【選択図】　図１
2004065541.tif 000002
【特許請求の範囲】
【請求項１】
便器の後端部上に横長に設けるトイレ機能内蔵のトイレ本体と、前記トイレ本体に設け、便器上に位置する便座および少なくとも前記便座を覆う開閉自在な便蓋とを備え、前記便蓋は外周部とこれに囲まれた内周部とで形成し、かつ前記外周部と内周部の色を異ならせてなるトイレ装置。
【請求項２】
便器の後端部上に横長に設けるトイレ機能内蔵のトイレ本体と、前記トイレ本体に設け、便器上に位置する便座および少なくとも前記便座を覆う開閉自在な便蓋とを備え、前記便蓋は外周部である便蓋枠と前記便蓋枠に囲まれた内周部である蓋パネルと前記便蓋枠に設けて前記蓋パネルを固定する補強兼用の裏蓋パネルとで形成し、かつ前記便蓋枠と蓋パネルの色を異ならせてなるトイレ装置。
【請求項３】
便器の後端部上に横長に設けるトイレ機能内蔵のトイレ本体と、前記トイレ本体に設け、便器上に位置する便座および少なくとも前記便座を覆う開閉自在な便蓋とを備え、前記便蓋は便蓋枠と前記便蓋枠に囲まれた蓋パネルと前記便蓋枠に設けて前記蓋パネルを固定する補強兼用の裏蓋パネルとで形成し、かつ前記便蓋枠と蓋パネルと裏蓋パネルの色をそれぞれ異ならせてなるトイレ装置。
【請求項４】
外周部と内周部の接合部または蓋パネルと便蓋枠との接合部を、便蓋の裏側に向かって広がる傾斜面に形成してなる請求項１〜請求項３のいずれかに記載のトイレ装置。
【請求項５】
便蓋枠と裏蓋パネルを同一材料で形成し、前記裏蓋パネルを前記便蓋枠に溶着して前記蓋パネルを固定してなる請求項２〜４のいずれかに記載のトイレ装置。
【請求項６】
裏蓋パネルは、便蓋枠に振動溶着により取付けてなる請求項４または請求項５記載のトイレ装置。
【請求項７】
内周部である蓋パネルは、裏面にオイル転写により着色または半透明材で形成してなる請求項１〜６のいずれかに記載のトイレ装置。
【請求項８】
便蓋は、トイレ本体の上面も覆う大きさに形成し、かつ内周部は便座の内縁に沿い、一部が前記トイレ本体にさしかかる大きさに形成し、さらに前記一部に表示可能部を形成してなる請求項１〜７のいずれかに記載のトイレ装置。
【請求項９】
請求項１〜８のいずれかに記載のトイレ装置であって、トイレ本体を便器の後端部上に横長に設けてなるトイレ装置。
【発明の詳細な説明】
【０００１】
【発明の属する技術分野】
本発明は、便座およびその便蓋を備え、人体局部を洗浄するトイレ機能を有するトイレ本体を便器の後端部上に設けて使用するトイレ装置に関する。
【０００２】
【従来の技術】
この種従来のトイレ装置は、図６、図７に示すように便器６０上に設けた便座６１、その便蓋６２、そして便座６１と便蓋６２の後端部を軸で支持して開閉自在に取り付け、便器６０の後端部上に設置したトイレ本体６３を備えている。便蓋６２は、合成樹脂で一枚の略平板に成形し、かつ便座６１、トイレ本体６３と同一色のピンク、ブルー、ベージュ等に着色されている。トイレ本体６３は、用便後の人体局部を温水で洗浄する肛門用、ビデ用の洗浄ノズル、洗浄後の人体局部を乾燥させる装置、臭気を脱臭する装置等のトイレ機能を内蔵している。
【０００３】
このようなトイレ装置にあって便座６１は、用便者が安定して着座するに必要な大きさに設定され、これを覆う便蓋６２はさらに大きく形成されている。すなわち、便蓋６２は便座６１を閉じた状態では、図６に示す上面図から明らかなようにトイレ装置における全面積の大半を占めることになり、しかも便座６１、トイレ本体６３と同一色で着色され、かつ略平らな一枚ものになって見えることになり、実際よりも大きく視覚的に感じることになる。
【０００４】
従って、トイレ室に設置されたトイレ装置は、使用者がドアを空けてトイレ室に入った時に先ず視野に入るのは、図６に示すように閉じている便蓋６２が同一色のトイレ本体６３と略平らな一枚ものになっている状態であるから、便蓋６２の大きさが余計に目立ってトイレ室を狭く感じさせてしまうことになり、特に狭いトイレ室では一層、狭く感じてしまい快適なスペースを確保するには至っていなかった。
【０００５】
また、従来の洗濯機の開閉蓋では図８に示すように蓋枠８０と透明の蓋パネル８１で構成し、蓋パネル８１の爪８２を蓋枠８０の係合孔８３に係合して取り付けている。このような開閉蓋の構成では、爪８２による取付けのために、どうしても構造上から蓋枠８０と蓋パネル８１の間に嵌合隙間８４が生じる。そして、この嵌合隙間８４に付着した汚れが取りにくくなり、不衛生になるものであった。
【０００６】
【発明が解決しようとする課題】
上記従来の技術の問題点に鑑み、本発明が解決しようとする課題は、コンパクト感を視覚的に強調できるトイレ装置を提供することにある。
【０００７】
【課題を解決するための手段】
上記課題を解決するために本発明は、便座を覆う便蓋を外周部とこれに囲まれた内周部とで構成し、かつ前記外周部と内周部の色を異ならせたトイレ装置で、内周と外周の色違いによる便蓋の形状が引き締まり、装置全体のコンパクト感が強調される。
【０００８】
また本発明は、便座を覆う便蓋を便蓋枠とこれに囲まれた蓋パネルと便蓋枠に設けて蓋パネルを固定する補強兼用の裏蓋パネルとで形成し、かつ便蓋枠と蓋パネルの色を異ならせたトイレ装置で、便蓋枠と蓋パネルの色の違いによる便蓋の形状が引き締まり、装置全体のコンパクト感が強調されるとともに、便蓋の強度向上と清潔にできる。
【０００９】
さらに本発明は、便座を覆う便蓋を便蓋枠とこれに囲まれた蓋パネルと便蓋枠に設けて蓋パネルを固定する補強兼用の裏蓋パネルとで形成し、かつ便蓋枠と蓋パネルと裏蓋パネルの色をそれぞれ異ならせたトイレ装置で、便蓋枠と蓋パネルと裏蓋パネルの色の違いにより、開閉いずれにあっても便蓋の形状が引き締まり、装置全体のコンパクト感が強調されるとともに、便蓋の強度向上と清潔にできる。
【００１０】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【００１１】
請求項１記載に係る発明は、便器の後端部上に横長に設けるトイレ機能内蔵のトイレ本体と、前記トイレ本体に設け、便器上に位置する便座および少なくとも前記便座を覆う開閉自在な便蓋とを備え、前記便蓋は外周部とこれに囲まれた内周部とで形成し、かつ前記外周部と内周部の色を異ならせたトイレ装置である。
【００１２】
上記実施の形態によれば、便蓋は内周部と外周部に分割して構成し、そして内周部の色と外周部の色の違いにより、便蓋の全体形状が引き締まって見えるとともに、閉じた状態で平面になった便蓋をコンパクトに感じさせる。
【００１３】
請求項２記載に係る発明は、便器の後端部上に横長に設けるトイレ機能内蔵のトイレ本体と、前記トイレ本体に設け、便器上に位置する便座および少なくとも前記便座を覆う開閉自在な便蓋とを備え、前記便蓋は外周部である便蓋枠と前記便蓋枠に囲まれた内周部である蓋パネルと前記便蓋枠に設けて前記蓋パネルを固定する補強兼用の裏蓋パネルとで形成し、かつ前記便蓋枠と蓋パネルの色を異ならせたトイレ装置である。
【００１４】
上記実施の形態によれば、便蓋は内周部と外周部に分割して構成し、そして内周部の色と外周部の色の違いにより、便蓋の全体形状が引き締まって見えるとともに、閉じた状態で平面になった便蓋をコンパクトに感じさせる。また、裏蓋パネルは、便蓋枠と蓋パネルに分けて構成したことによる便蓋の強度的弱さを裏面側から補い、かつ便蓋枠への裏蓋パネルの取り付け構成により、便蓋枠と蓋パネルの接合部に隙間が生じないようにする。
【００１５】
請求項３記載に係る発明は、便器の後端部上に横長に設けるトイレ機能内蔵のトイレ本体と、前記トイレ本体に設け、便器上に位置する便座および少なくとも前記便座を覆う開閉自在な便蓋とを備え、前記便蓋は便蓋枠と前記便蓋枠に囲まれた蓋パネルと前記便蓋枠に設けて前記蓋パネルを固定する補強兼用の裏蓋パネルとで形成し、かつ前記便蓋枠と蓋パネルと裏蓋パネルの色をそれぞれ異ならせたトイレ装置である。
【００１６】
上記実施の形態によれば、便蓋は内周部と外周部に分割して構成し、そして内周部の色と外周部の色の違いにより、便蓋の全体形状が引き締まって見えるとともに、閉じた状態で平面になった便蓋をコンパクトに感じさせる。また、裏蓋パネルは、便蓋枠と蓋パネルに分けて構成したことによる便蓋の強度的弱さを裏面側から補い、かつ便蓋枠への裏蓋パネルの取り付け構成により、便蓋枠と蓋パネルの接合面に隙間が生じないようにする。さらに、便蓋は閉じた時に便蓋枠と蓋パネル、開いた時に便蓋枠と裏蓋パネルの色の違いにより、常に全体形状を引き締まらせる。
【００１７】
請求項４記載に係る発明は、請求項１〜請求項３のいずれかの記載において、内周部と外周部の接合部または蓋パネルと便蓋枠との接合部を、便蓋の裏側に向かって広がる傾斜面に形成したトイレ装置で、接合部の傾斜面に案内されて便蓋の内周部と外周部、または蓋パネルと便蓋枠はしっかりと接合し、隙間が生じないようになる。
【００１８】
請求項５記載に係る発明は、請求項２〜４のいずれかの記載において、便蓋枠と裏蓋パネルを同一材料で形成し、前記裏蓋パネルを前記便蓋枠に溶着して前記蓋パネルを固定したトイレ装置で、同一材料により便蓋枠と裏蓋パネルの溶着が確実に行え蓋パネルの固定が強固になる。
【００１９】
請求項６記載に係る発明は、請求項４または請求項５の記載において、裏蓋パネルは、便蓋枠に振動溶着により取付けたトイレ装置で、振動溶着により便蓋の生産性が向上する。
【００２０】
請求項７記載に係る発明は、請求項１〜６のいずれかの記載において、内周部の裏面にオイル転写により着色または内周部を半透明材で形成したトイレ装置で、便蓋の内周部である蓋パネルに深みが生じ、内周部と外周部の色の違いによる便蓋の全体形状の引き締まり感を、一層強調させられる。
【００２１】
請求項８記載に係る発明は、請求項１〜７のいずれかの記載において便蓋は、トイレ本体の上面も覆う大きさに形成し、かつ内周部は便座の内縁に沿い、一部が前記トイレ本体にさしかかる大きさに形成し、さらに前記一部に表示可能部を形成したトイレ装置である。
【００２２】
上記実施の形態によれば、便座だけでなくトイレ本体も覆う便蓋の内周部は、トイレ本体のところまで大きくなっても、内周部と外周部の色違いによる便蓋の全体形状の引き締まり感により、大きく目立つのを軽減させられ、かつ内周部の下側が外周の便座を除き支えがないので、上には過重を加えないように製品取扱い説明書等で注意を促す際でも判り易くできる。さらに便蓋の表示可能部は、トイレ本体の上面を覆っていてもトイレ本体のトイレ機能部の通電表示等を表示可能にする。
【００２３】
請求項９記載に係る発明は、請求項１〜８のいずれかに記載のトイレ装置であって、トイレ本体を便器の後端部上に横長に設けたトイレ装置で、便蓋の全体形状の引き締まり感により、狭いトイレ室のスペース感を良好にする。
【００２４】
以下本発明のトイレ装置につき、図面に従い説明する。
【００２５】
（実施の形態１）
図１は、本発明のトイレ装置の一部を透視して示す斜視図で、図２はトイレ装置の一部を透視して示す上面図で、図３はトイレ装置の便座と便蓋部分を図２のＡ−Ａ線で断面して示す概略拡大断面図で、図４はトイレ装置の便座と便蓋の部分を分解して示す斜視図で、図５はトイレ装置の便蓋の開いた状態を示す斜視図である。
【００２６】
トイレ装置は、便器１上に設けた便座２と、便蓋３と、そして便座２と便蓋３の後端部を軸で支持して開閉自在に取付け、便器１の後端部上に設置した横長のトイレ本体４を備えている。トイレ本体４は、用便後の人体局部を温水で洗浄する肛門用、ビデ用の洗浄ノズル、洗浄後の人体局部を乾燥させる装置、臭気を脱臭する装置等（いずれも図示せず）のトイレ機能を内蔵している。
【００２７】
便座２は大きな輪状で、用便者が安定して着座するのに必要な大きさに設定されている。便蓋３は便座２とトイレ本体４の上面および外周側面を覆う上面が僅かに円弧面を成した略平らな一枚ものの大きさに設定され、便座２だけでなくトイレ本体４にも埃がかからないようにして、略平らな一枚ものの便蓋３を拭くだけで通常の掃除が簡単に済ませられるように構成している。
【００２８】
このような便蓋３は、便座だけを覆う従来の便蓋よりトイレ本体を覆う分だけ全体形状が大きくなり、トイレ室に設置されたトイレ装置にあっては便蓋３そのものの面積が装置全体の平面積になってしまうので、トイレ室を狭く感じさせてしまう恐れがある。
【００２９】
そこで、掃除がし易くて、かつ全体形状が引き締まって見えるようにするため本実施の形態では、便蓋３を次のように構成している。すなわち、合成樹脂で成形した便蓋３は、外周部であるポリプロピレで成形した便蓋枠５と便蓋枠５に囲まれた内周部である透明なアクリル樹脂で成形した蓋パネル６の２部品に分割して構成し、かつ便蓋枠５をグレーの色、蓋パネル６をピンクの色に着色して色を異ならせ、全体形状が引き締まって見えるようにしている。
【００３０】
便蓋枠５と蓋パネル６は、その接合部７を便蓋３の裏側に向かって広がる傾斜面に形成しており、外縁８が便蓋枠５の裏面に当接して接合部７である便蓋枠５と蓋パネル６の接合面に隙間が生じないように形成している。また蓋パネル６は、裏面にオイル転写によりピンク色を塗装９して蓋パネル自身に深みを生じさせ、便蓋枠５との色の違いによる便蓋３の全体形状の引き締まり感を、一層強調できるように構成している。
【００３１】
さらに蓋パネル６は、便座２の内縁２ａに沿い、一部がトイレ本体４にさしかかる大きさに形成し、前記一部にトイレ本体４のトイレ機能における通電等の表示部４ａに対向した透明または半透明の表示可能部１０を形成している。
【００３２】
１１は蓋パネル６と類似形の裏蓋パネルで、便蓋枠５との溶着性の向上のため、同一材料のポリプロピレンで成形され、格子状に配列した補強リブ１２で蓋パネル６を裏側から補強し、外周に設けた溶着リブ１３を便蓋枠５の取付けリブ１４に振動溶着で固着して蓋パネル６を便蓋枠５とで挟持して固定する。また裏蓋パネル１１は便蓋枠５のグレー色、蓋パネル６のピンク色のそれぞれと異なるアイボリー色を着色して、図５のように便蓋３を開いて直立させた時においても、便蓋３の全体形状が引き締まって見えるようにしている。
【００３３】
上記実施の形態において、便蓋３は予め成形しておいた便蓋枠５に、同じく予め成形しておいた蓋パネル６を裏側から嵌合して接合部７に隙間が起こらないように外縁８を便蓋枠５に当接し、続いて裏蓋パネル１１を蓋パネル６に下側からあてがい補強リブ１２で支え、さらに溶着リブ１３を便蓋枠５の取付けリブ１４に当接させ、そして溶着リブ１３と取付けリブ１４に振動を与え摩擦による熱で溶着し、蓋パネル６を固定して完成する。
【００３４】
以上のように本実施の形態では、外周部である便蓋枠とこれに囲まれた内周部である蓋パネルとに分割して便蓋を構成し、さらに便蓋枠の色と蓋パネルの色とに違いを持たせているので、便蓋の全体形状が引き締まって見えるようになり、便座だけでなくトイレ本体も覆う略平らな大きな便蓋であっても、コンパクト感を強調できる。
【００３５】
また裏蓋パネルは、便蓋枠と蓋パネルに分割して構成したことによる便蓋の強度的弱さを裏面側から補い、かつ便蓋枠への裏蓋パネルの取付け構成により、便蓋枠と蓋パネルの接合部に隙間が生じないようにできるので、清潔な便蓋にできる。
【００３６】
また、便蓋は閉じた時に便蓋枠と蓋パネル、開いた時に便蓋枠と裏蓋パネルの色の違いにより、トイレ装置の不使用、使用にかかわらず常に全体形状が引き締まって見え、コンパクト感を強調できる。
【００３７】
また、便蓋は内周部である蓋パネルと外周部である便蓋枠との接合部を、便蓋の裏側に向かって広がる傾斜面に形成しているので、接合部の傾斜面に案内されて蓋パネルと便蓋枠が確実に接合して接合部に汚れの付着する隙間が生じない、清潔な便蓋にできる。
【００３８】
また、便蓋枠と裏蓋パネルを同一材料で形成し、裏蓋パネルを便蓋枠に溶着して蓋パネルを固定したので、同一材料による便蓋枠と裏蓋パネルの溶着を確実にでき、蓋パネルを確実に取付けることができる。そして、裏蓋パネルの便蓋枠への溶着は、振動溶着なので便蓋の生産性を向上できる。
【００３９】
また、蓋パネルへの着色はオイル転写により着色または内周部を半透明材で形成したので、便蓋の内周部である蓋パネルに深みが生じ、内周部と外周部の色の違いによる便蓋の全体形状の引き締まり感を、一層強調させることができる。
【００４０】
また便蓋は、トイレ本体の上面も覆う大きさに形成し、かつ蓋パネルは便座の内縁に沿い、一部が前記トイレ本体にさしかかる大きさに形成し、さらに前記一部に表示可能部を形成しているので、便座だけでなくトイレ本体も覆う便蓋の蓋パネルは、トイレ本体のところまで大きくなっても、便蓋枠と蓋パネルの色の違いによる便蓋の全体形状の引き締まり感により、大きく目立つのを軽減させられ、かつ蓋パネルの下側が外周の便座を除き支えがないので、上には過重を加えないように使用者に注意を促す際でも判り易くできる。さらに便蓋の表示可能部は、トイレ本体の上面を覆っていてもトイレ本体のトイレ機能部の通電表示等を表示できる。
【００４１】
なお、本実施の形態では、便座２からトイレ本体４まで覆う大きさの便蓋３に本発明を実施したが、便座２だけを覆う大きさの便蓋に適用しても本実施の形態と同様の効果を期待できる。また、便蓋３は便蓋枠５と蓋パネル６の２部品に分割したが、これに限定されるものでもない。また、本実施の形態では透明のアクリル樹脂にオイル転写によりピンク色を塗装して蓋パネル６を形成したが、半透明材を使用しても良い。また、本実施の形態では蓋パネル６を便蓋枠５と裏蓋パネル１１とで挟持して固定しているが、予め蓋パネル６を接着剤で便蓋枠５に仮止めしておいても良い。さらに、便蓋枠５と裏蓋パネル１１の溶着に振動溶着を使用したが、これに限定されるものでもないし、さらに裏蓋パネルを便蓋枠に接着材で固定しても良い。
【００４２】
【発明の効果】
以上のように本発明のトイレ装置は、便蓋の全体形状が引き締まって見えることにより、装置全体のコンパクト感を強調できるとともに、トイレ室を狭く感じさせないようにできる。また、便蓋の強度を向上できるとともに、清潔にもできる。さらに、便蓋を閉じても開いても常に形状が引き締まって見えるようにでき、常に装置全体のコンパクト感を強調できる。
【図面の簡単な説明】
【図１】本発明の実施の形態１におけるトイレ装置の一部を透視して示す斜視図
【図２】同実施の形態１におけるトイレ装置の一部を透視して示す上面図
【図３】同実施の形態１におけるトイレ装置の便座と便蓋部分を図２のＡ−Ａ線で断面して示す概略拡大断面図
【図４】同実施の形態１におけるトイレ装置の便座と便蓋を分解して示す斜視図
【図５】同実施の形態１におけるトイレ装置の便蓋を開いた状態を示す斜視図
【図６】従来のトイレ装置の上面図
【図７】同トイレ装置の便蓋を開いた時の斜視図
【図８】従来の洗濯機等における開閉蓋の要部拡大断面図
【符号の説明】
１　便器
２　便座
３　便蓋
４　トイレ本体
５　便蓋枠
６　蓋パネル
７　接合部
９　塗装（着色）
１０　表示可能部
１１　裏蓋パネル
１２　補強リブ
１３　溶着リブ
１４　取付けリブ
【図１】
2004065541.tif 000003
【図２】
2004065541.tif 000004
【図３】
2004065541.tif 000005
【図４】
2004065541.tif 000006
【図５】
2004065541.tif 000007
【図６】
2004065541.tif 000008
【図７】
2004065541.tif 000009
【図８】
2004065541.tif 000010